(57)【要約】【課題】記録媒体を損傷することなく、記録媒体から記録材を除去し、記録媒体に新たな画像を形成可能な状態にする。【解決手段】記録シート５の表面に付着した記録材５Ｂを剥離し、記録シート５を再生させる再生装置１において、弾性板ガイド２４、ガイド押さえ２６、曲率調整ネジ２８等を備え、記録シート５を湾曲させる曲率調整機構２０は、記録シート５の種類に応じて、ガイド押さえ２６を上下に移動させ、弾性板ガイド２４が形成する曲面部２４Ａの曲率を変更可能に構成している。このようにすると、ブレード４２による記録材５Ｂの剥離前に、記録シート５を適切な曲率で湾曲させることができるので、記録材５Ｂを剥離する際に、記録シート５をブレード４２に押し付ける荷重を小さくすることができ、記録シート５を損傷することなく、記録シート５上の記録材５Ｂを除去し、記録シート５に新たな画像を形成可能な状態に再生することができる。【選択図】  図１
2004287019.tif 000002
【特許請求の範囲】
【請求項１】
記録媒体の表面に付着した記録材を、該記録媒体から剥離するための剥離部材と、
該剥離部材に対して前記記録媒体を相対移動させることにより、前記記録材を、前記記録媒体から剥離させる搬送手段と、
前記剥離部材による記録材の剥離前に、前記記録媒体を湾曲させる湾曲手段と、
を備えた記録媒体再生装置において、
前記湾曲手段は前記記録媒体を湾曲させる曲率を前記記録媒体の種類に応じて変更可能であること
を特徴とする記録媒体再生装置。
【請求項２】
前記湾曲手段は、
曲面部を有し、弾性変形することにより前記曲面部の曲率を変更可能なガイド部材を備え、
該ガイド部材の曲面部に沿って、前記記録媒体を通過させることにより、前記記録媒体を湾曲させる構成であって、
前記湾曲手段は、前記ガイド部材を外部から押圧する支持部材により、前記曲面部に加える押圧力を変化させ、前記曲面部の曲率を変化させること
を特徴とする請求項１に記載の記録媒体再生装置。
【請求項３】
前記ガイド部材は、板バネから構成されていることを特徴とする請求項２に記載の記録媒体再生装置。
【請求項４】
前記記録媒体を湾曲させる曲率が異なる複数の湾曲手段を備え、
前記記録媒体の経路上に位置する湾曲手段を、他の湾曲手段に変更して使用することにより、前記記録媒体を湾曲させる曲率を変化させること
を特徴とする請求項１に記載の記録媒体再生装置。
【請求項５】
前記湾曲手段は、前記記録媒体の記録材が付着した面を内側にして、前記記録媒体を湾曲させることを特徴とする請求項１〜請求項４の何れかに記載の記録媒体再生装置。
【請求項６】
前記剥離部材は、２平面の交線であるエッジ部を有し、
該エッジ部が前記記録媒体に当接した状態で、前記搬送手段が前記剥離部材と該記録媒体とを相対移動させることにより、記録材を該記録媒体から剥離すること
を特徴とする請求項１〜請求項５の何れかに記載の記録媒体再生装置。
【請求項７】
前記剥離部材は、ブラシを有することを特徴とする請求項１〜請求項５の何れかに記載の記録媒体再生装置。
【請求項８】
前記ブラシを前記記録媒体と相対移動する方向とは逆方向に回転させる回転手段を更に備えたことを特徴とする請求項７に記載の記録媒体再生装置。
【請求項９】
前記剥離部材と相対的に変位可能に配置され、前記剥離部材と対を成して前記記録媒体を挟持可能な押圧部材を更に備え、
前記記録媒体の先端が前記剥離部材を通過する際には、前記剥離部材と前記押圧部材との間に空隙を形成し、
前記記録媒体の先端が前記剥離部材を通過した後には、前記剥離部材と前記押圧部材とで前記記録媒体を挟持すること
を特徴とする請求項１〜請求項８に記載の記録媒体再生装置。
【請求項１０】
記録媒体の表面に付着した記録材を、該記録媒体から剥離するための剥離部材を備えた装置を使用した記録媒体再生方法において、
前記剥離部材に対して前記記録媒体を相対移動させることにより、前記記録材を、前記記録媒体から剥離させる剥離工程と、
前記剥離工程による記録材の剥離前に、前記記録媒体を湾曲させる湾曲工程と、
前記湾曲工程で前記記録媒体を湾曲させる前に、前記記録媒体を湾曲させる曲率を調節する曲率調整工程を備えたこと
を特徴とする記録媒体再生方法。
【請求項１１】
前記湾曲工程では、曲面部を有し、弾性変形することにより前記曲面部の曲率を変更可能なガイド部材の曲面部に沿って、前記記録媒体を通過させることにより、前記記録媒体を湾曲させ、
前記曲率調整工程では、前記ガイド部材を外部から押圧する支持部材により、前記湾曲手段の曲面部の曲率を変化させること
を特徴とする請求項１０に記載の記録媒体再生方法。
【請求項１２】
前記ガイド部材は、板バネから構成されていることを特徴とする請求項１１に記載の記録媒体再生方法。
【請求項１３】
前記曲率調整工程では、
前記記録媒体の経路上に位置し、前記記録媒体を湾曲させる湾曲部材を、前記記録媒体を湾曲させる曲率が異なる他の湾曲部材に変更すること
を特徴とする請求項１０に記載の記録媒体再生装置。
【請求項１４】
前記湾曲工程では、前記記録媒体の記録材が付着した面を内側にして、前記記録媒体を湾曲させることを特徴とする請求項１０〜請求項１３の何れかに記載の記録媒体再生方法。
【請求項１５】
前記剥離部材は、２平面の交線であるエッジ部を有し、
前記剥離工程では、前記エッジ部材のエッジ部が前記記録媒体に当接した状態で、前記剥離部材と該記録媒体とを相対移動させることにより、記録材を該記録媒体から剥離すること
を特徴とする請求項１０〜請求項１４の何れかに記載の記録媒体再生方法。
【請求項１６】
前記剥離部材は、ブラシを有することを特徴とする請求項１０〜請求項１５の何れかに記載の記録媒体再生方法。
【請求項１７】
前記ブラシを記録媒体と相対移動する方向に逆らう方向に回転させることを特徴とする請求項１６に記載の記録媒体再生方法。
【請求項１８】
前記剥離部材と相対的に変位可能に配置され、前記剥離部材と対を成して前記記録媒体を挟持可能な押圧部材を更に備え、
前記記録媒体の先端が前記剥離部材を通過する際には、前記剥離部材と前記押圧部材との間に空隙を形成し、
前記記録媒体の先端が前記剥離部材を通過した後には、前記剥離部材と前記押圧部材とで前記記録媒体を挟持すること
を特徴とする請求項１０〜請求項１７に記載の記録媒体再生方法。
【発明の詳細な説明】
【０００１】
【発明の属する技術分野】
本発明は、記録媒体再生装置、および記録媒体再生方法に関する。
【０００２】
【従来の技術】
従来より、電子写真機やプリンタ等の画像形成装置により記録材を付着させ、画像が形成された記録媒体において、記録媒体上の記録材を除去し、記録媒体に新たな画像を再び印刷可能にするための装置として、記録媒体再生装置が知られている（例えば、特許文献１および特許文献２参照）。
【０００３】
特許文献１に記載の装置では、記録媒体に刃形状のブレードを当接させながら、記録媒体を移動させることにより、記録媒体上の記録材を破壊し、除去している。
また、特許文献２に記載の装置では、記録媒体を湾曲させ記録材および記録媒体に曲げ応力を発生させて層状の記録材をある程度破壊し、その後、ブラシ等により除去している。
【０００４】
このようにして、上記の装置では記録媒体を再び画像形成可能な状態に再生していた。
【０００５】
【特許文献１】
特開２００２−０７２７９４号公報
【特許文献２】
特開２００１−３３７５７０号公報
【０００６】
【発明が解決しようとする課題】
しかしながら、特許文献１に記載の記録媒体再生装置では、刃形状のブレードを相当な荷重で記録媒体に押し当てる必要があるため、記録媒体から記録材を除去できても、記録媒体の表面を傷つけることとなり、記録媒体の再生回数を少なくしてしまう虞があった。
【０００７】
また、特許文献２に記載の記録媒体再生装置では、適切な曲げ応力が加わるように記録媒体を湾曲させれば、上記問題点を解決できるが、特許文献２に記載の装置では、記録媒体を湾曲させる曲率半径が一定であるため、記録媒体が厚い場合には、記録媒体を恒久的に変形させてしまう虞があり、逆に、記録媒体が薄い場合には、記録材をブラシにより除去し易くするために必要な曲げ応力を記録媒体に加えることができず、記録媒体から記録材が充分剥離できなくなる虞があった。
【０００８】
そこで、このような事情を鑑み、記録媒体を損傷することなく、記録媒体から記録材を除去し、記録媒体に新たな画像を形成可能な状態にすることを本発明の目的とする。
【０００９】
【課題を解決するための手段および発明の効果】
かかる目的を達成するために成された、請求項１に記載の発明は、記録媒体の表面に付着した記録材を、該記録媒体から剥離するための剥離部材と、該剥離部材に対して前記記録媒体を相対移動させることにより、前記記録材を、前記記録媒体から剥離させる搬送手段と、前記剥離部材による記録材の剥離前に、前記記録媒体を湾曲させる湾曲手段と、を備えた記録媒体再生装置において、前記湾曲手段は前記記録媒体を湾曲させる曲率を前記記録媒体の種類に応じて変更可能であることを特徴としている。
【００１０】
つまり、記録媒体から記録材を剥離し易くするために記録媒体に加える適切な曲げ応力は、記録媒体の厚み、および材質により異なるので、本発明のように、湾曲手段が記録媒体を湾曲させる曲率を記録媒体の種類に応じて変更可能に構成しているのである。
【００１１】
このような記録媒体再生装置であれば、記録媒体の種類に応じて、適切な曲率で記録媒体を湾曲させることにより、記録媒体上の記録材に損傷を与え、記録媒体から記録材を剥離する際に、記録媒体に加える荷重を小さくすることができるので、記録媒体を損傷することなく、記録媒体上の記録材を除去し、記録媒体に新たな画像を形成可能な状態にすることができる。
【００１２】
また、湾曲手段は、請求項２に記載のように、曲面部を有するガイド部材を備え、ガイド部材を外部から押圧する支持部材により、曲面部に加える押圧力を変化させ、曲面部の曲率を変化させるように構成するとよい。
このようにすると、支持部材が曲面部に加える押圧力を変化させるだけで記録媒体を湾曲させる曲率を変化させることができるので、装置全体を簡素化することができる。
【００１３】
更に、請求項２に記載の記録媒体再生装置において、請求項３に記載のように、ガイド部材は板バネから構成されていることが好ましい。
このように、ガイド部材を板バネから構成すれば、耐久性がよく、且つ、容易に曲面部の曲率を変化可能な記録媒体再生装置とすることができる。
【００１４】
また、請求項１に記載の記録媒体再生装置において、記録媒体を湾曲させる曲率を変化させるには、例えば、請求項２に記載のように、ガイド部材を外部から押圧する支持部材により、曲面部に加える押圧力を変化させ、曲面部の曲率を変化させるようにしてもよいが、請求項４に記載のように、記録媒体を湾曲させる曲率が異なる複数の湾曲手段を備え、記録媒体の経路上に位置する湾曲手段を、他の湾曲手段に変更して使用することにより、記録媒体を湾曲させる曲率を変化させてもよい。
【００１５】
このようすると、記録媒体の種類に応じて、記録媒体を湾曲させる曲率を最適状態に、常に維持しながら記録媒体を湾曲させることができる。
更に、記録媒体を湾曲させる曲率が大きければ、記録媒体に「折れ」等の不可逆的な変形を与え難くなるので、請求項５に記載のように、湾曲手段は、記録媒体の記録材が付着した面を内側にして、記録媒体を湾曲させることが好ましい。
【００１６】
つまり、同じ大きさの曲げ応力を記録媒体に与える際に、記録媒体の記録材が付着した面を外側にして記録媒体を湾曲させるよりも、記録媒体の記録材が付着した面を内側にして記録媒体を湾曲させるほうが、記録媒体を湾曲させる曲率がより大きくても記録材に対して効果的に損傷を与えることができるので、本発明（請求項５）のようにすれば、より記録媒体を損傷し難くすることができる。
【００１７】
次に、記録材を記録媒体から剥離するための剥離部材は、請求項６に記載のように、２平面の交線からなり、記録媒体に当接した状態で、搬送手段が剥離部材と記録媒体とを相対移動させることにより、記録材を記録媒体から剥離するエッジ部を備えていてもよいし、請求項７に記載のように、剥離部材はブラシを備えていてもよい。
【００１８】
このような剥離部材を使用すれば、確実に記録媒体から記録材を剥離することができる。
特に、請求項７に記載のようにブラシを備えた剥離部材を使用すれば、記録媒体が損傷することを確実に防止することができる。
【００１９】
また、請求項７に記載の記録媒体再生装置において、請求項８に記載のように、ブラシを前記記録媒体と相対移動する方向とは逆方向に回転させる回転手段を更に備えていることが望ましい。
このようにして、ブラシを記録媒体と相対移動する方向とは逆方向に回転させると、記録媒体から記録材を剥離し易くすることができる。
【００２０】
また、請求項９に記載のように、剥離部材と相対的に変位可能に配置され、剥離部材と対を成して記録媒体を挟持可能な押圧部材を更に備え、記録媒体の先端が剥離部材を通過する際には、剥離部材と押圧部材との間に空隙を形成し、記録媒体の先端が剥離部材を通過した後には、剥離部材と押圧部材とで記録媒体を挟持することが望ましい。
【００２１】
つまり、記録媒体の先端が剥離部材を通過する際に、剥離部材と押圧部材とが密着した状態であると、記録媒体の先端が剥離部材と押圧部材との間を通過できない虞があるため、記録媒体の先端が剥離部材を通過する際には、剥離部材と押圧部材との間に空隙を形成し、記録媒体の先端が剥離部材を通過した後には、剥離部材と押圧部材とで記録媒体を挟持するようにしているのである。
【００２２】
このようにすれば、記録媒体の先端は確実に剥離部材を通過することできるので、記録媒体の先端が剥離部材に衝突し、記録媒体が撓むことにより記録媒体に傷等の損傷を与えることなく、記録媒体の先端が剥離部材の通過した後に、記録材を記録媒体から剥離させることができる。
【００２３】
次に、請求項１０に記載の発明は、記録媒体の表面に付着した記録材を、該記録媒体から剥離するための剥離部材を備えた装置を使用した記録媒体再生方法において、前記剥離部材に対して前記記録媒体を相対移動させることにより、前記記録材を、前記記録媒体から剥離させる剥離工程と、前記剥離工程による記録材の剥離前に、前記記録媒体を湾曲させる湾曲工程と、前記湾曲工程で前記記録媒体を湾曲させる前に、前記記録媒体を湾曲させる曲率を調節する曲率調整工程を備えたことを特徴としている。
【００２４】
つまり、記録媒体から記録材を剥離し易くするために記録媒体に加える適切な曲げ応力は、記録媒体の厚み、および材質により異なるので、本発明のように、曲率調整工程では、湾曲工程で記録媒体を湾曲させる曲率を記録媒体の種類に応じて変更するようにしているのである。
【００２５】
このような記録媒体再生方法であれば、記録媒体の種類に応じて、適切な曲率で記録媒体を湾曲させることにより、記録媒体上の記録材に損傷を与え、記録媒体から記録材を剥離する際に、記録媒体に加える荷重を小さくすることができるので、記録媒体を損傷することなく、記録媒体上の記録材を除去し、記録媒体に新たな画像を形成可能な状態にすることができる。
【００２６】
また、請求項１０に記載の記録媒体再生方法において、請求項１１に記載のように、湾曲工程では、曲面部を有し、弾性変形することにより曲面部の曲率を変更可能なガイド部材の曲面部に沿って、記録媒体を通過させることにより、記録媒体を湾曲させ、曲率調整工程では、ガイド部材を外部から押圧する支持部材により、湾曲手段の曲面部の曲率を変化させるとよい。
【００２７】
このようにすると、支持部材が曲面部に加える押圧力を変化させるだけで記録媒体を湾曲させる曲率を変化させることができるので、装置全体を簡素化することができる。
更に、請求項１１に記載の記録媒体再生方法において、請求項１２に記載のように、ガイド部材は板バネから構成されていることが好ましい。
【００２８】
このように、ガイド部材を板バネにすれば、耐久性がよく、且つ、容易に曲面部の曲率を変化させることができる。
また、請求項１０に記載の記録媒体再生方法において、曲率調整工程にて、記録媒体を湾曲させる曲率を変化させるには、例えば、請求項１１に記載のように、ガイド部材を外部から押圧する支持部材により、曲面部に加える押圧力を変化させ、曲面部の曲率を変化させるようにしてもよいが、請求項１３に記載のように、記録媒体の経路上に位置し、記録媒体を湾曲させる湾曲部材を、記録媒体を湾曲させる曲率が異なる他の湾曲部材に変更することにより、記録媒体を湾曲させる曲率を変化させてもよい。
【００２９】
このようすると、記録媒体の種類に応じて、記録媒体を湾曲させる曲率を最適状態に、常に維持しながら記録媒体を湾曲させることができる。
更に、湾曲工程にて、記録媒体を湾曲させる曲率が大きければ、記録媒体に「折れ」等の不可逆的な変形を与え難くなるので、請求項５に記載のように、湾曲手段では、記録媒体の記録材が付着した面を内側にして、記録媒体を湾曲させることが好ましい。
【００３０】
つまり、同じ大きさの曲げ応力を記録媒体に与える際に、記録媒体の記録材が付着した面を外側にして湾曲させるよりも、記録媒体の記録材が付着した面を内側にして記録媒体を湾曲させるほうが、記録媒体を湾曲させる曲率がより大きくても記録材に対して効果的に損傷を与えることができるので、本発明（請求項１４）のようにすれば、より記録媒体を損傷し難くすることができる。
【００３１】
次に、記録材を記録媒体から剥離するための剥離部材は、請求項１５に記載のように、２平面の交線からなり、記録媒体に当接した状態で、剥離部材と記録媒体とを相対移動させることにより、記録材を記録媒体から剥離するエッジ部を備えていてもよいし、請求項１６に記載のように、剥離部材はブラシを備えていてもよい。
【００３２】
このような剥離部材を使用すれば、確実に記録媒体から記録材を剥離することができる。
特に、請求項１６に記載のようにブラシを備えた剥離部材を使用すれば、記録媒体が損傷することを確実に防止することができる。
【００３３】
また、請求項１６に記載の記録媒体再生方法においては、請求項１７に記載のように、ブラシを前記記録媒体と相対移動する方向とは逆方向に回転させることが望ましい。
このようにして、ブラシを記録媒体と相対移動する方向とは逆方向に回転させると、記録媒体から記録材を剥離し易くすることができる。
【００３４】
また、請求項１８に記載のように、剥離部材と相対的に変位可能に配置され、剥離部材と対を成して記録媒体を挟持可能な押圧部材を更に備え、記録媒体の先端が剥離部材を通過する際には、剥離部材と押圧部材との間に空隙を形成し、記録媒体の先端が剥離部材を通過した後には、剥離部材と押圧部材とで記録媒体を挟持することが望ましい。
【００３５】
つまり、記録媒体の先端が剥離部材を通過する際に、剥離部材と押圧部材とが密着した状態であると、記録媒体の先端が剥離部材と押圧部材との間を通過できない虞があるため、記録媒体の先端が剥離部材を通過する際には、剥離部材と前記押圧部材との間に空隙を形成し、記録媒体の先端が剥離部材を通過した後には、剥離部材と押圧部材とで記録媒体を挟持するようにしているのである。
【００３６】
このようにすれば、記録媒体の先端は確実に剥離部材を通過することできるので、記録媒体の先端が剥離部材に衝突し、記録媒体が撓むことにより記録媒体に傷等の損傷を与えることなく、記録媒体の先端が剥離部材の通過した後に、記録材を記録媒体から剥離させることができる。
【００３７】
【発明の実施の形態】
以下に本発明にかかる実施の形態を図面と共に説明する。
〔実施例１〕
図１は、本実施例（実施例１）の記録媒体の再生装置１（本発明でいう記録媒体再生装置。以下、再生装置１という。）の概略構成図である。
【００３８】
この再生装置１は、再生装置１の内部に固定された支持板２２と、弾性板ガイド２４、弾性板ガイド２４（本発明でいうガイド部材）の曲率を変化させる曲率調整モータ３８（図３参照）、および制御装置５１（図３参照）等を備えた曲率調整機構２０（本発明でいう湾曲手段）と、記録シート５（本発明でいう記録媒体）を搬送する搬送ローラ３１〜３４（本発明でいう搬送手段）と、搬送ローラ３１〜３４を駆動させる搬送モータ５６（図３参照）と、搬送される記録シート５を弾性板ガイド２４に接触させながら移動させるためのガイドコロ３０と、記録シート５の記録面５Ａ上の記録材５Ｂを剥離する剥離器４０（本発明でいう剥離部材）と、記録シート５を剥離器４０側に押し付ける押圧器６０と、記録シート５の厚みを測定する変位センサ３７と、記録シート５の紙端を検出する位置センサ４１と、を備えている。
【００３９】
剥離器４０には、長方形の板状のブレード４２を備えており、このブレード４２のエッジ部４２Ａが記録シート５の記録面５Ａに均一に接触した状態で記録シート５が搬送されることにより、その記録面５Ａ上の記録材５Ｂを剥離する。
押圧器６０は、再生装置１の内部に固定された支持台６２と、支持台６２に取り付けられ、電気的に制御されることにより伸縮するバネ６４と、例えば、ゴム板から成り、バネ６４の押圧力を受ける押圧板６６（本発明でいう押圧部材）とを備えており、押圧板６６はバネからの押圧力を受け、剥離器４０に備えられたブレード４２に、所定の押圧力で圧接させられるように構成されている。
【００４０】
搬送ローラ３１は、搬送ローラ３１の両端に１個ずつ配置され、ガイド押さえ２６（本発明でいう支持部材）に一端を固定されているバネ３５と接合されており、このバネ３５の付勢力により、記録シート５を弾性板ガイド２４に常時接触させるようにしている。
【００４１】
ガイドコロ３０は、搬送ローラ３１と同様に、バネ３５により、記録シート５を弾性板ガイド２４に常時接触させるようにしている。
変位センサ３７は、例えば、超音波式変位センサ（例えば、キーエンス製、ＵＤ−５００）を採用しており、記録シート５が弾性板ガイド２４により湾曲されるよりも手前の位置にて記録シート５の厚みを測定するようにしている。
【００４２】
位置センサ４１は、例えば、記録シート５が検知部分に当接した際に、ハイレベル信号を出力するような機械式のセンサであって、位置センサ４１による検知に基づいて、押圧器６０の状態を制御する。
尚、各種センサ（変位センサ３７および位置センサ４１）、並びに押圧器６０の動作については後に詳述するため、ここでの説明は省略する。
【００４３】
次に、曲率調整機構２０付近の構造について図２を用いて説明する。図２は、曲率調整機構２０付近にて、記録シート５の進行方向に沿った面で切断した断面図である。
図２に示すように曲率調整機構２０は、弾性板ガイド２４と、ガイド押さえ２６と、曲率調整ネジ２８と、曲率調整モータ３８（図３参照）と、制御装置５１（図３参照）とから構成されている。
【００４４】
弾性板ガイド２４は、例えばＳＵＳ薄板（厚み１００μｍ）から成り、支持板２２に一部を固定されるとともに、ガイド押さえに他の部分を支持されることにより、曲面部２４Ａを形成した状態で保持されている。
ガイド押さえ２６には、ネジ穴が形成されており、そのネジ穴に挿通された曲率調整ネジ２８が回転することにより、ガイド押さえ２６が上下に移動し、弾性板ガイド２４の曲率を変更するように構成されている。
【００４５】
尚、曲率調整ネジ２８の先端部分は、支持板２２により回転可能に支持されている。
次に、制御装置５１について図３を用いて説明する。図３は、再生装置１を構成する各部の電気的または機械的結合関係を示すブロック図である。
【００４６】
図３において、制御装置５１は、入出力インターフェイス５２と、ＣＰＵ５３と、ＲＯＭ５４と、ＲＡＭ５５とから構成されている。
ＲＯＭ５４には、ＣＰＵ５３を駆動させるプログラムが格納されており、ＣＰＵ５３は、ＲＯＭ５４に格納されたプログラムと、入出力インターフェイス５２を介して入力される、変位センサ３７および位置センサ４１からの信号とに基づいて、各種演算を行う。この際ＲＡＭ５５は、ＣＰＵ５３が演算を行う際の作業領域として使用される。
【００４７】
このように、ＣＰＵ５３により演算された演算結果に基づいて、曲率調整モータ３８、搬送モータ５６、およびバネ６４の制御を行う。こうして曲率調整モータ３８、および搬送モータ５６が駆動されると、ギヤ機構（図示省略）を介して曲率調整ネジ２８、および搬送ローラ３１〜３４がそれぞれ駆動される。
【００４８】
また、バネ６４が制御されると、押圧板６６を上下に移動させ（図１参照）、押圧板６６を剥離器４０に押圧する押圧力を変化させる。
次に、上述の再生装置１の動作について、図４を用いて説明する。図４は制御装置５１（ＣＰＵ５３）が行う記録媒体再生制御を示すフローチャートである。
【００４９】
先ず、Ｓ１０１にて、初期設定として、ＲＡＭ５５を初期化すると共に、バネ６４を縮める制御を行い、押圧板６６とブレード４２との間に空隙を形成する。
次に、Ｓ１０２に移行し、搬送モータ５６を駆動させ、記録シート５の搬送を開始する。
【００５０】
そしてＳ１０３では、搬送モータ５６を駆動させた状態で、変位センサ３７により記録シート５の厚みを測定したか否かを検出する。尚、変位センサ３７は、記録シート５が変位センサ３７の検知位置に来ると、自動的に記録シート５の厚みを測定するように設定されている。
【００５１】
Ｓ１０３にて、変位センサ３７が記録シート５の厚みを測定していないと判定すると（Ｓ１０３：ＮＯ）、変位センサ３７が記録シート５の厚みを測定するまでＳ１０３を繰り返し、変位センサ３７が記録シート５の厚みを測定したと判定すると（Ｓ１０３：ＹＥＳ）、Ｓ１０４に移行する。
【００５２】
Ｓ１０４では、変位センサ３７による記録シート５の厚みの測定結果に基づいて、曲率調整モータ３８を駆動し、弾性板ガイド２４が形成する曲面部２４Ａの曲率を変化させる。
ここで、Ｓ１０４で行われる、曲面部２４Ａの曲率を変化させる動作は、制御装置５１が曲率調整モータ３８を駆動する駆動パルスを制御することにより行われる。また、この動作は、記録シート５の先端が曲面部２４Ａに到達するよりも以前に完了するように設定されており、Ｓ１０４が終了すると、Ｓ１０５に移行する。
【００５３】
また、Ｓ１０４からＳ１０５に移行するまでの間に、記録シート５は、弾性板ガイド２４と搬送ローラ３１、および弾性板ガイド２４とガイドコロ３０によって挟み込まれながら弾性板ガイド２４の曲面部２４Ａへと搬送され、曲面部２４Ａを通過する際に、適切な曲げ応力を加えられ、記録材５Ｂに損傷が与えられる。そして、記録シート５は弾性板ガイド２４によって曲げ応力が加えられた後、剥離器４０の方向へ搬送される。
【００５４】
尚、Ｓ１０１にてブレード４２と押圧板６６と間には空隙が形成されているので、記録シート５の先端は容易にブレード４２を通過して搬送ローラ３２に到達することができる。
Ｓ１０５では、位置センサ４１が記録シート５の先端を検知したか否かを判定し、位置センサ４１が記録シート５の先端を検知していないと判定すれば（Ｓ１０５：ＮＯ）、位置センサ４１が記録シート５の先端を検知するまでＳ１０５を繰り返し、位置センサ４１が記録シート５の先端を検知したと判定すれば（Ｓ１０５：ＹＥＳ）、Ｓ１０６に移行する。
【００５５】
Ｓ１０６では、位置センサ４１による記録シート５の検知後に、所定距離の搬送を行ったか否かを判定し、搬送ローラ３２により記録シート５が搬送可能な状態であるかを確認する。ここで、Ｓ１０６における所定距離の搬送を行ったか否かの判定は、制御装置５１が搬送モータ５６を駆動する駆動パルスにより判定する。
【００５６】
所定距離の搬送を行っていないと判定すれば（Ｓ１０６：ＮＯ）、Ｓ１０６を繰り返し、所定距離の搬送を行ったと判定すれば（Ｓ１０６：ＹＥＳ）、Ｓ１０７に移行する。
Ｓ１０７では、バネ６４を伸ばす制御を行い、押圧板６６を所定の押圧力にてブレード４２に付勢する。この際、記録シート５は、押圧板６６とブレード４２とに挟持され、この状態で搬送されることにより、記録シート５から記録材５Ｂを剥離する動作が開始される。
【００５７】
尚、ブレード４２と搬送ローラとの距離は、記録シート５に記録材５Ｂを付着させる（つまり、画像形成する）際の余白よりも短い距離に設定されている。また、記録シート５から記録材５Ｂを剥離する際には、搬送ローラ３２により記録シート５を引っ張りながら剥離させることにより、記録媒体が撓むことを防止している。
【００５８】
次に、Ｓ１０８に移行し、位置センサ４１が記録シート５の後端を検知したか否かを判定し、位置センサ４１が記録シート５の後端を検知していないと判定すれば（Ｓ１０８：ＮＯ）、Ｓ１０８を繰り返し、位置センサ４１が記録シート５の後端を検知したと判定すれば（Ｓ１０８：ＹＥＳ）、Ｓ１０９に移行する。
【００５９】
Ｓ１０９では、Ｓ１０８での記録シート５の検知後、所定距離を搬送し、記録シート５が再生装置１から排出されたか否かを判定する。ここで、Ｓ１０９における所定距離搬送したか否かの判定は、Ｓ１０６の場合と同様に、制御装置５１が搬送モータ５６を駆動する駆動パルスにより判定する。
【００６０】
所定距離の搬送を行っていないと判定すれば（Ｓ１０９：ＮＯ）、Ｓ１０９を繰り返し、所定距離の搬送を行ったと判定すれば（Ｓ１０９：ＹＥＳ）、Ｓ１１０に移行する。
最後に、Ｓ１１０にて、搬送ローラ３１〜３４の動きを停止させて、記録媒体再生制御を終了する。
【００６１】
以上のように詳述した再生装置１を使用して、記録シート５から記録材５Ｂを剥離させる実験を行った。
記録シート５には、厚さ５０μｍの酸化チタンを含有して白色にしたポリエチレンテレフタレートフィルム（東レ製）の両面に３μｍの厚さの粘着剤層を形成し、２５μｍのポリメチルヘンテンフィルム（三井化学製）を張り合わせたものを使用した。
【００６２】
記録シート５に印字を行う画像形成装置には、レーザプリンタ（ブラザー製、ＨＬ−１４４０）を使用して印字した。
この記録シート５に形成された画像は、良好な印字コントラストを有し、記録媒体にカールのない良好な印字が行われた。
【００６３】
印字された記録シート５を摩擦堅牢度試験器（ＤＡＩＥＩ  ＫＡＧＡＫＵ  ＳＥＩＫＩ製、ＲＴ−２００）を用いて、亜麻布、３００ｇの加重で５往復のこすり試験を行ってもトナーの剥離は見られず、良好な定着性が得られていることを確認した。
【００６４】
上記記録シート５の記録面５Ａが内側になるように、曲率半径を２ｍｍ、３ｍｍ、８ｍｍ、および３０ｍｍで曲げ変形を加え、ブレード４２（エッジ部４２Ａの角度が９０度、ジルコニア）で表面を擦過したところ、ブレード４２と押圧板６６との荷重が、曲率半径２ｍｍ〜８ｍｍでは３００ｇｆ、３０ｍｍでは４００ｇｆで剥離することができた。
【００６５】
尚、記録シート５に曲げ変形を加えなかった場合は５００ｇｆの荷重が必要であった。
また、ブレード４２で剥離させずに、曲率半径２ｍｍ、および３ｍｍで曲げ変形を加えた記録シート５の表面を目視で観察したところ、シート表面のトナーに亀裂が入っていることが認められた。
【００６６】
次に、上記に説明した再生装置１を使用した際に得られる効果について、以下に説明する。
（１）再生装置１は、曲率調整機構２０が記録シート５を湾曲させる曲率を記録シート５の種類に応じて変更可能に構成されているので、記録シート５上の記録材５Ｂに損傷を与え、記録シート５から記録材５Ｂを剥離する際に、記録シート５に加える荷重を小さくすることができ、記録シート５を損傷することなく、記録シート５上の記録材５Ｂを除去し、記録シート５に新たな画像を形成可能な状態にすることができる。
【００６７】
（２）また、曲率調整機構２０は、曲面部２４Ａを有する弾性板ガイド２４を備え、弾性板ガイド２４を外部から押圧するガイド押さえ２６により、曲面部２４Ａに加える押圧力を変化させ、曲面部２４Ａの曲率を変化させるようにしているので、ガイド押さえ２６が曲面部２４Ａに加える押圧力を変化させるだけで記録シート５を湾曲させる曲率を変化させることができ、再生装置１全体を簡素化することができる。
【００６８】
（３）更に、再生装置１の弾性板ガイド２４は、ＳＵＳ薄板から成る板バネから構成しているので、再生装置１の耐久性を向上させることができる共に、容易に曲面部２４Ａの曲率を変化させることができる。
（４）また、曲率調整機構２０は、記録シート５の記録材５Ｂが付着した面を内側にして、記録シート５を湾曲させるので、記録シート５の記録材５Ｂが付着した面を外側にして湾曲させるよりも、記録シート５を湾曲させる曲率がより大きくても、記録材５Ｂに対して効果的に損傷を与えることができ、より記録シート５を損傷し難くすることができる。
【００６９】
（５）次に、記録材５Ｂを記録シート５から剥離するための剥離器４０は、２平面の交線からなるエッジ部４２Ａを備え、このエッジ部４２Ａが記録シート５に当接した状態で、記録シート５を移動させるので、確実に記録シート５から記録材５Ｂを剥離することができる。
【００７０】
（６）また、記録シート５の先端が剥離器４０を通過する際には、剥離器４０と前記ガイド押さえ２６との間に空隙を形成し、記録シート５の先端が剥離器４０を通過した後には、剥離器４０とガイド押さえ２６とで記録シート５を挟持するようにしているので、記録シート５の先端が剥離器４０に衝突し、記録シート５が撓むことにより記録シート５に傷等の損傷を与えることなく、記録シート５の先端は確実に剥離器４０を通過することができ、記録シート５の先端が剥離器４０の通過した後に、記録材５Ｂを記録シート５から剥離させることができる。
【００７１】
尚、以下に、再生装置１の変形例を説明する。
本実施例（実施例１）の再生装置１において、剥離器４０にはブレード４２を備え、ブレード４２のエッジ部４２Ａが記録シート５に当接した状態で記録シート５を搬送させることにより記録シート５に付着した記録材５Ｂを剥離したが、特に、剥離器４０には、ブレード４２備えている必要はなく、例えば、図５に示すように、剥離器４０には、ブラシ９２を備えていてもよい。尚、図５は剥離器９０の概略構成図である。
【００７２】
剥離器９０は、押圧板６６と記録シート５をはさんで対抗するように位置するブラシ９２と、ブラシ９２を記録シート５の進行方向とは反対方向（図５では時計回り）に回転させる回転モータ（図示省略）とから構成されている。
押圧板６６の位置は、バネ６４により、ブラシ９２の先端に記録シート５が接するように調整されており、記録シート５は、搬送ローラ３１〜３４（図１参照）により、図５における左端から右端へ撒送され、この際、回転モータによって記録シート５の進行方向とは反対方向に回転するブラシ９２の先端が記録面５Ａを擦過することにより記録シート５から記録材５Ｂを剥離する。
【００７３】
このようにブラシ９２を備えた剥離器９０を使用しても、前述のブレード４２を備えた剥離器４０を使用する場合と同様に、確実に記録シート５から記録材５Ｂを剥離することができる。
更に、ブラシ９２を備えた剥離器９０を使用すれば、ブレード４２を備えた剥離器４０を使用する場合よりも、記録シート５を損傷し難くすることができる。
【００７４】
また、ブラシ９２を記録シート５が移動する方向とは逆方向に回転させるようにしているので、記録シート５から記録材５Ｂを剥離し易くすることができる。
尚、剥離器９０に用いるブラシ９２は、上述した様に回転する必要はなく、回転しないブラシ９２を有する剥離器９０であっても、ブラシ９２の先端が記録面５Ａを擦過する様な構造であれば、どのようなブラシ９２であってもよい。
【００７５】
また、ブラシ９２の材質は、ポリプロピレンやポリエチレンのような樹脂や、合成ゴム等のエラストマーや、或いは、金属細線等、柔らかくて記録面５Ａを傷つけないものであれば、何でもよい。
また、本実施例（実施例１）における剥離器９０には、上述のブレード４２やブラシ９２が備えられていることに限定されることなく、記録面５Ａを擦過する様なもので、且つ、記録面５Ａを損傷しないものであればどのような構造、材質のものでもよく、たとえば樹脂製のスポンジや、布製のワイプ等であってもよい。
【００７６】
更に、本実施例（実施例１）の再生装置１において、弾性板ガイド２４には厚み１００μｍのＳＵＳ薄板を使用したが、特にＳＵＳ薄板に限定されることなく、例えば、ばね網などの弾力を有する金属薄板（バネ板）であってもよい。
また、ブレード４２の材質には、ジルコニアを採用したが、特にジルコニアに限らず、例えば、タングステンカーバイドなどのセラミック材料、ステンレス、チタン合金等の金属材料、ポリカーボネート、ＡＢＳ樹脂、ポリフェニレンサルファイド、ポリエーテルエーテルケトン、ポリエーテルサルフォン等のプラスチック材料、ガラス、ダイヤモンド等の材料であっても、記録シート５から記録材５Ｂを剥離するのに必要な硬さと耐久性を有していれば何でもよい。
【００７７】
更に、変位センサ３７には、超音波使用し、記録シート５の厚みを測定する方式を使用したが、特に、超音波を使用する方式に限らず、例えば、レーザを使用する方式等の方式であっても、記録シート５の厚みが測定できれば何れの方式であってもよい。
【００７８】
また、位置センサ４１には機械式のセンサを採用したが、特に、機械式でなくても、例えば、発光部および受光部を有する光学式センサ等であってもよい。
また、本実施例（実施例１）の再生装置１では、記録シート５の先端が剥離器４０を通過するまでの間、押圧板６６を下方に退避させることにより剥離器４０および押圧板６６との間に空隙を形成していたが、押圧板６６を下方に退避させなくても、剥離器４０を上方に退避させるようにしてもよい。
【００７９】
更に、本実施例（実施例１）の再生装置１において、曲率調整モータ３８および搬送ローラ３１〜３４の制御は、制御装置５１からの駆動パルスにより行ったが、例えば、曲率調整ネジ２８および搬送ローラ３１〜３４にエンコーダ等の角度センサ等を配置して、この角度センサの検知に基づいて、曲率調整モータ３８および搬送ローラ３１〜３４の制御を行ってもよい。
【００８０】
上述のようにしても、記録シート５を損傷することなく、記録シート５上の記録材５Ｂを除去し、記録シート５に新たな画像を形成可能な状態にすることができる。
〔実施例２〕
次に、別形態の（実施例２）の再生装置２について説明する。
【００８１】
ここで、実施例１で詳述した再生装置１と、本実施例（実施例２）の再生装置２とは、曲率調整機構２０が異なるのみで、その他の構成は同様である。従って、本実施例の再生装置２が実施例１の再生装置１と同様の箇所については、同一の符号を付して説明を省略し、異なる箇所のみについて詳述する。
【００８２】
図６に本実施例（実施例２）の再生装置２を示す。
再生装置２は、実施例１の再生装置１に備えられた曲率調整機構２０の替わりに曲率調整機構７０を備えている。
曲率調整機構７０は、異なる曲率を有する曲面部７１Ａ〜Ｅ、およびバネ７３により各曲面部７１Ａ〜Ｅ（本発明でいう湾曲部材）側に付勢されるガイドコロ３０を有する回転体７１と、曲率調整モータ（図７参照）とを備えている。
【００８３】
尚、この回転体７１は回転軸７２を中心に回転可能に記録シート５が通過する経路上に配置されている。
また、実施例１の再生装置１において、バネ３５は、ガイドコロ３０と搬送ローラ３１とを支持していたが、実施例２の再生装置２におけるガイドコロ３０は、バネ７３により支持され、回転体７１と一体となって移動するため、バネ３５は、搬送ローラ３１のみを支持している。
【００８４】
次に、再生装置２が、記録シート５の厚みに応じて記録シート５を湾曲させる曲率を変更する際（図４のＳ１０４）には、図７のブロック図に示すように、制御装置が、変位センサ３７による検知に基づいて、曲率調整モータ３８を駆動させ回転体７１（回転軸７２）を一定の角度だけ回転させる。そして、適切な曲率を有する曲面部７１Ａ〜Ｅが記録シート５の経路上に移動させる。
【００８５】
以下、実施例１の再生装置１と同様にして、記録シート５から記録材５Ｂの剥離が行われる。
このように構成された実施例２の再生装置２を用いて実施例１に記載の（１）、（４）〜（６）と同様の効果が得られると共に、同様の変形例が考えられ、特に、実施例２の再生装置２であっては、記録シート５の経路上に位置する曲率調整機構７０を、他の曲率調整機構７０に変更して使用することにより、記録シート５を湾曲させるので、記録シート５を湾曲させる際に、記録シート５の種類に応じて、常に記録シート５を湾曲させる曲率を最適な状態に維持しながら、記録シート５を湾曲させることができる。
【００８６】
また、本実施例（実施例２）では、曲率が異なる複数の曲面部を備えた曲率調整機構２０を記録シート５の厚みに応じて自動的に切り替えるようにして使用したが、特にこのように構成する必要はなく、例えば、図８に示すように、曲率調整機構８０は、搬送ローラ３１と、ガイドコロ３０と、ガイド部材８２とを備え、凹部８４Ａが形成された支持板２２に脱着可能に構成され、記録シート５の種類に応じて、曲率調整機構８０を、曲率の異なるガイド部材８２を備えた曲率調整機構８０に手動により交換するように構成してもよい。
【００８７】
このようにしても記録シート５を損傷することなく、記録シート５上の記録材５Ｂを除去し、記録シート５に新たな画像を形成可能な状態にすることができる。
【図面の簡単な説明】
【図１】実施例１の再生装置を示す概略構成図である。
【図２】曲率調整機構付近にて、記録媒体の進行方向に沿った面で切断した断面図である。
【図３】実施例１の再生装置を構成する各部の電気的または機械的結合関係を示すブロック図である。
【図４】記録媒体再生制御を示すフローチャートである。
【図５】変形例の剥離器を示す概略構成図である。
【図６】実施例２の再生装置を示す概略構成図である。
【図７】実施例２の再生装置を構成する各部の電気的または機械的結合関係を示すブロック図である。
【図８】実施例２の再生装置において、曲率調整機構の変形例を示す断面図である。
【符号の説明】
１、２…再生装置、５…記録シート、５Ａ…記録面、５Ｂ…記録材、２０…曲率調整機構、２２…支持板、２４…弾性板ガイド、２４Ａ…曲面部、２６…ガイド押さえ、２８…曲率調整ネジ、３０…ガイドコロ、３１〜３４…搬送ローラ、３５…バネ、３７…変位センサ、３８…曲率調整モータ、４０…剥離器、４１…位置センサ、４２…ブレード、４２Ａ…エッジ部、５１…制御装置、５２…入出力インターフェイス、５３…ＣＰＵ、５４…ＲＯＭ、５５…ＲＡＭ、５６…搬送モータ、６０…押圧器、６２…支持台、６４…バネ、６６…押圧板、７０…曲率調整機構、７１…回転体、７１Ａ〜Ｅ…曲面部、７２…回転軸、７３…バネ、８０…曲率調整機構、８２…ガイド部材、８４Ａ…凹部、９０…剥離器、９２…ブラシ。
【図１】
2004287019.tif 000003
【図２】
2004287019.tif 000004
【図３】
2004287019.tif 000005
【図４】
2004287019.tif 000006
【図５】
2004287019.tif 000007
【図６】
2004287019.tif 000008
【図７】
2004287019.tif 000009
【図８】
2004287019.tif 000010